(57)【要約】【課題】従来の技術による諸問題を解決するため、フレキシブルプリント基板と二つ折りの液晶モジュール部及びメインモジュール部との接続構造の改良された折畳式携帯電話を提供する。【解決手段】携帯電話は、第一孔を有する第一回転体を具える第一ハウジングと、第一ハウジングに設けられる表示パネルと、ボタン信号を入力するための複数のボタンが設けられ、第一回転体と接続されて第二孔を有する第二回転体を具える第二ハウジングと、第一端と第二端がそれぞれ第一孔と第二孔から伸びる第一フレキシブルプリント基板と、第一ハウジングと結合する第三ハウジングと、第二ハウジングと結合する第四ハウジングとを含む。【選択図】図１０
2005117604.tif 000002
【特許請求の範囲】
【請求項１】
携帯電話は、
第一孔を有する第一回転体を具える第一ハウジングと、
第一ハウジングに設けられる表示パネルと、
ボタン信号を入力するための複数のボタンが設けられ、第一回転体と接続されて第二孔を有する第二回転体を具える第二ハウジングと、
第一端と第二端がそれぞれ第一孔と第二孔から伸びる第一フレキシブルプリント基板と、
第一ハウジングと結合する第三ハウジングと、
第二ハウジングと結合する第四ハウジングとを含むことを特徴とする携帯電話。
【請求項２】
前記携帯電話は更に、第一ハウジングと第三ハウジング内に設けられる信号処理モジュールと、第二ハウジングと第四ハウジング内に設けられて携帯電話の動作を制御するための処理モジュールとを含み、そのうち信号処理モジュールと処理モジュールはそれぞれフレキシブルプリント基板の第一端と第二端と接続されることを特徴とする請求項１記載の携帯電話。
【請求項３】
前記第一回転体の第一孔と第二回転体の第二孔が同一平面にある場合、フレキシブルプリント基板を第一回転体の第一孔と第二回転体の第二孔に入れ、更に第一回転体または第二回転体を回してフレキシブルプリント基板の第一端と第二端をそれぞれ信号処理モジュールと処理モジュールに接続することを特徴とする請求項２記載の携帯電話。
【請求項４】
前記フレキシブルプリント基板が３６０度以下の角度で携帯電話に折りたたまれることを特徴とする請求項３記載の携帯電話。
【請求項５】
前記表示パネルは信号処理モジュールと電気的に接続されて、信号処理モジュールからのデータを画像として表示することを特徴とする請求項２記載の携帯電話。
【請求項６】
前記携帯電話は更に、第一ハウジングと第三ハウジング内に設けられて信号処理モジュールと電気的に接続され、信号処理モジュールからのデータを音声に変換するスピーカーを含むことを特徴とする請求項２記載の携帯電話。
【請求項７】
前記携帯電話は更に、第一ハウジングと第三ハウジング内に設けられて信号処理モジュールと電気的に接続され、信号処理モジュールからの振動信号によって機体を振動させるバイブレーターを含むことを特徴とする請求項２記載の携帯電話。
【請求項８】
前記携帯電話は更に、第二ハウジングと第四ハウジング内に設けられて処理モジュールと電気的に接続され、音声を音声信号に変換して処理モジュールに送信するマイクロフォンを含むことを特徴とする請求項２記載の携帯電話。
【請求項９】
前記携帯電話は更に、第二ハウジングと第四ハウジング内に設けられて処理モジュールと電気的に接続され、無線で伝送される信号を受信して対応する通信信号を生じさせて処理モジュールに送信し、また処理モジュールからのデータを無線で出力する無線モジュールを含むことを特徴とする請求項２記載の携帯電話。
【発明の詳細な説明】
【技術分野】
【０００１】
この発明は携帯電話に関し、特にフレキシブルプリント基板（ＦＰＣ）と二つ折りの液晶モジュール部及びメインモジュール部との接続構造の改良された折畳式携帯電話に関する。
【背景技術】
【０００２】
情報化社会において、携帯電話は広範囲に使用されている。携帯電話のコンパクト化にしたがって、限られた空間の有効利用と部品装着の確実性は更に要求されてきた。市販の携帯電話には、折畳式携帯電話が大部分を占めている。折畳式携帯電話はディスプレイつきの上部とボタンパネルつきの下部からなり、上下両部はヒンジによってつながって開閉される。
【０００３】
図１を参照する。図１は従来の携帯電話１０のブロック図である。携帯電話１０は第一ハウジング１２と第二ハウジング１４を具え、そのうち第一ハウジング１２は第一ヒンジ１６を含み、第二ハウジング１４は第二ヒンジ１８を含む。第一ヒンジ１６は固定具によって第二ヒンジ１８と接続され、その回転によって第一ハウジング１２と第二ハウジング１４は開閉される。携帯電話１０は更に、第二ハウジング１４内に設けられて携帯電話１０の動作を制御するための処理モジュール２０と、第二ハウジング１４内に設けられて処理モジュール２０と電気的に接続され、無線で伝送される信号を受信して対応する通信信号を生じさせて処理モジュール２０に送信し、更に処理モジュール２０からのデータを無線で出力するための無線モジュール２２と、第二ハウジング１４内に設けられて処理モジュール２０と電気的に接続され、音声を音声信号に変換して処理モジュール２０に送信するためのマイクロフォン２４と、ボタン信号を入力するための複数のボタン２５を含む。携帯電話１０は更に、第一ハウジング１２内に設けられる信号処理モジュール２６と、第一ハウジング１２内に設けられて信号処理モジュール２６と電気的に接続され、信号処理モジュール２６からのデータを画像として表示するための表示パネル２８と、第一ハウジング１２内に設けられて信号処理モジュール２６と電気的に接続され、信号処理モジュール２６からのデータを音声に変換するためのスピーカー３０と、第一ハウジング１２内に設けられて信号処理モジュール２６と電気的に接続され、信号処理モジュール２６からの振動信号によって機体を振動させるためのバイブレーター３２とを含む。携帯電話１０は更に、一端が信号処理モジュール２６と接続されてほかの一端が処理モジュール２０と接続されるＦＰＣ３４を含む。ＦＰＣ３４は第一ヒンジ１６にある孔と第二ハウジングにある孔を通し、処理モジュール２０と信号処理モジュール２６を接続し、よって第一ハウジング１２と第二ハウジング１４内にある電子部品の信号交換を行う。
【０００４】
図２から図４を参照する。図２から図４は従来の携帯電話１０の組立図である。図示のようにＦＰＣ３４をまず携帯電話１０の第一ハウジング１２内に固定してその下端を第一ハウジング１２の第一ヒンジ１６にある孔に入れてから、第二ハウジング１４にある孔に入れる。第一ハウジング１２と第二ハウジング１４の開閉は第一ヒンジ１６と第二ヒンジ１８の回転によるものでありながら、ＦＰＣ３４もその回転にしたがって折りたたまれる。
【０００５】
しかし美観上の理由から、第一ヒンジ１６の孔は、第一ヒンジ１６と第二ハウジング１６が移動するとき重なる部分に開けなければならない。このような構造の適用範囲は狭い。例えばヒンジを露出するようにデザインされた携帯電話にこのような構造を適用すれば、ヒンジにある孔はその回転にしたがって露出するので、別種の構造を勘案しなければならない。
【発明の開示】
【発明が解決しようとする課題】
【０００６】
この発明は前述の問題を解決するために、ＦＰＣと二つ折りの液晶モジュール部及びメインモジュール部との接続構造の改良された折畳式携帯電話を提供することを課題とする。
【課題を解決するための手段】
【０００７】
この発明は携帯電話を提供する。該携帯電話は、第一孔を有する第一回転体を具える第一ハウジングと、第一ハウジングに設けられる表示パネルと、ボタン信号を入力するための複数のボタンが設けられ、第一回転体と接続されて第二孔を有する第二回転体を具える第二ハウジングと、第一端と第二端がそれぞれ第一孔と第二孔から伸びる第一フレキシブルプリント基板と、第一ハウジングと結合する第三ハウジングと、第二ハウジングと結合する第四ハウジングとを含むことを特徴とする携帯電話。
【発明の効果】
【０００８】
この発明によれば、ＦＰＣ用の孔は回転体の回転にしたがってハウジングに隠され、露出することがない。よってこの発明はヒンジを露出する折畳式携帯電話にも適する。なお、この発明はＦＰＣを３６０度以下の角度で携帯電話に折りたたんで過度に曲げないようにするので、ＦＰＣの破損を防止する。
【発明を実施するための最良の形態】
【０００９】
かかる装置の特徴を詳述するために、具体的な実施例を挙げ、図示を参照にして以下に説明する。
【００１０】
図５を参照する。図５はこの発明による携帯電話４０を表すブロック図である。携帯電話４０は第一ハウジング４２と第三ハウジング４４を具え、そのうち第一ハウジング４２は第一孔４７を有する第一回転体４６を含み、第三ハウジング４４は第一ハウジング４２と結合される。携帯電話４０は更に第二ハウジング４８と第四ハウジング５０を具え、そのうち第二ハウジング４８は第一回転体４６と接続されて第二孔５３を有して複数のボタン５４が設けられる第二回転体５２を含み、第四ハウジング５０は第二ハウジング４８と結合される。
【００１１】
携帯電話４０は更に、第二ハウジング４８内に設けられて携帯電話４０の動作を制御するための処理モジュール５６と、第二ハウジング４８と第四ハウジング５０内に設けられて処理モジュール５６と電気的に接続され、無線で伝送される信号を受信して対応する通信信号を生じさせて処理モジュール５６に送信し、更に処理モジュール５６からのデータを無線で出力するための無線モジュール５８と、第二ハウジング４８と第四ハウジング５０内に設けられて処理モジュール５６と電気的に接続され、音声を音声信号に変換して処理モジュール５６に送信するためのマイクロフォン６０とを含む。携帯電話４０は更に、第一ハウジング４２と第三ハウジング４４内に設けられる信号処理モジュール６２と、第一ハウジング４２と第三ハウジング４４内に設けられて信号処理モジュール６２と電気的に接続され、信号処理モジュール６２からのデータを画像として表示するための表示パネル６４と、第一ハウジング４２と第三ハウジング４４内に設けられて信号処理モジュール６２と電気的に接続され、信号処理モジュール６２からのデータを音声に変換するためのスピーカー６６と、第一ハウジング４２と第三ハウジング４４内に設けられて信号処理モジュール６２と電気的に接続され、信号処理モジュール６２からの振動信号によって機体を振動させるためのバイブレーター６８とを含む。携帯電話４０は更に、一端が第一ハウジング４２の第一孔４７から伸びて信号処理モジュール６２と接続され、ほかの一端が第二ハウジング４８の第二孔５３から伸びて処理モジュール５６と接続され、よって第一ハウジング４２並びに第三ハウジング４４内と第二ハウジング４８並びに第四ハウジング５０内にある電子部品の信号交換を行うためのＦＰＣ７０を含む。
【００１２】
図６と図７を参照する。図６は携帯電話４０の第一ハウジング４２の構造を表す説明図であり、図７は携帯電話４０の第二ハウジング４８の構造を表す説明図である。第一ハウジング４２にはスピーカー６６及び表示パネル６４をはめるための孔が開けられ、第一ハウジング４２の第一回転体４６はねじで第一ハウジング４２の本体と締め付けられる。第一回転体４６には第一孔４７が設けられる。第二ハウジング４８にはボタン５４及びマイクロフォンをはめるための孔が開けられ、第二ハウジング４８の第二回転体５２は第二ハウジング４８の上方に締め付けられる。第二回転体５２には第二孔５３が設けられる。
【００１３】
図８と図９を参照する。図８は回転軸７２と第一回転体４６の組立図であり、図９は第一回転体４６と第二ハウジング４８の組立図である。図示のように回転軸７２を第一回転体４６の孔が開けられない一端にしまりばめて図９における第二ハウジング４８の左上にある軸と接続する。携帯電話４０の第一ハウジング４２と第二ハウジング４８の回転モーメントはこの軸が受ける。第一回転体４６の第一孔４７が開けられた一端は第二回転体５２に押される。この端はＦＰＣ７０を入れるための孔が開けられるため、ＦＰＣ７０と接触しないように回転軸を入れない。
【００１４】
図１０を参照する。図１０はＦＰＣ７０と第二ハウジング４８との組立図である。まず第一回転体４６を第二ハウジング４８と結合してから、第一回転体４６の第一孔４７が第二回転体５２の第二孔５３が同一平面にあり、即ち両孔がつながって一つになるように第一回転体４６を回し、またＦＰＣ７０を図１０における破線９−９’に沿って、３６０度以下の角度で折りたたんで第一回転体４６の第一孔４７と第二回転体５２の第二孔５３に入れる。図１１を参照する。図１１はＦＰＣ７０を第一回転体４６の第一孔４７と第二回転体５２の第二孔５３に入れた後、第一回転体４６を回した状態を表す説明図である。ＦＰＣ７０を第一回転体４６の第一孔４７と第二回転体５２の第二孔５３に入れてから、第一回転体４６を第二ハウジング４８と１５５度になるように回し、この角度を携帯電話４０を開ける通常の角度として固定する。
【００１５】
図１２を参照する。図１２は第一ハウジング４２と第一回転体４６並びに第二ハウジング４８の組立図である。図示のように第一回転体４６をねじで第一ハウジング４２の本体に取り付ける。図１３を参照する。図１３は処理モジュール５６と信号処理モジュール６２及び第二ハウジング４８と第一ハウジング４２の組立図である。図示のように処理モジュール５６と信号処理モジュール６２をそれぞれ第二ハウジング４８と第一ハウジング４２に取り付け、ＦＰＣ７０の第一端と第二端をそれぞれ信号処理モジュール６２と処理モジュール５６と接続して両モジュールのデバイス間に信号を互換できるようにさせる。図１４を参照する。図１４は携帯電話４０の各ハウジングの組立図である。図示のように第一ハウジング４２と第三ハウジング４４及び第二ハウジング４８と第四ハウジング５０はそれぞれ４本のねじで組み立てられる。
【００１６】
この発明によれば、ＦＰＣ７０用の孔は回転体の回転にしたがってハウジングに隠され、露出することがない。その旨に合致するその他の組み立てもこの発明の範囲に属する。
【００１７】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１８】
この発明によれば、ＦＰＣ用の孔は回転体の回転にしたがってハウジングに隠され、露出することがない。よってこの発明はヒンジを露出する折畳式携帯電話にも適する。なお、この発明はＦＰＣを３６０度以下の角度で携帯電話に折りたたんで過度に曲げないようにするので、ＦＰＣの破損を防止する。
【図面の簡単な説明】
【００１９】
【図１】従来の携帯電話のブロック図である。
【図２】従来の携帯電話の第一組立図である。
【図３】従来の携帯電話の第二組立図である。
【図４】従来の携帯電話の第三組立図である。
【図５】この発明による携帯電話を表すブロック図である。
【図６】携帯電話の第一ハウジングの構造を表す説明図である。
【図７】携帯電話の第二ハウジングの構造を表す説明図である。
【図８】回転軸と第一回転体の組立図である。
【図９】第一回転体と第二ハウジングの組立図である。
【図１０】ＦＰＣと第二ハウジングとの組立図である
【図１１】ＦＰＣを第一回転体の第一孔と第二回転体の第二孔に入れた後、第一回転体を回した状態を表す説明図である。
【図１２】第一ハウジングと第一回転体並びに第二ハウジングの組立図である。
【図１３】処理モジュールと信号処理モジュール及び第二ハウジングと第一ハウジングの組立図である。
【図１４】携帯電話の各ハウジングの組立図である。
【符号の説明】
【００２０】
１０                    携帯電話
１２                    第一ハウジング
１４                    第二ハウジング
１６                    第一ヒンジ
１８                    第二ヒンジ
２０                    処理モジュール
２２                    無線モジュール
２４                    マイクロフォン
２５                    ボタン
２６                    信号処理モジュール
２８                    表示パネル
３０                    スピーカー
３２                    バイブレーター
３４                    ＦＰＣ
４０                    携帯電話
４２                    第一ハウジング
４４                    第三ハウジング
４６                    第一回転体
４７                    第一孔
４８                    第二ハウジング
５０                    第四ハウジング
５２                    第二回転体
５３                    第二孔
５４                    ボタン
５６                    処理モジュール
５８                    無線モジュール
６０                    マイクロフォン
６２                    信号処理モジュール
６４                    表示パネル
６６                    スピーカー
６８                    バイブレーター
７０                    ＦＰＣ
７２                    回転軸
【図１】
2005117604.tif 000003
【図２】
2005117604.tif 000004
【図３】
2005117604.tif 000005
【図４】
2005117604.tif 000006
【図５】
2005117604.tif 000007
【図６】
2005117604.tif 000008
【図７】
2005117604.tif 000009
【図８】
2005117604.tif 000010
【図９】
2005117604.tif 000011
【図１０】
2005117604.tif 000012
【図１１】
2005117604.tif 000013
【図１２】
2005117604.tif 000014
【図１３】
2005117604.tif 000015
【図１４】
2005117604.tif 000016